(57)【特許請求の範囲】
【請求項１】
ペットに装着するベストタイプのハーネスであって、
ペットの少なくとも首下から胸部まで覆い、２本の前足を挿入する穴と、背中部に開閉部を接続する接続具を備えたベストと、
少なくとも一部は前記ベスト内部に一体化され、前記背中部の開閉部の接続具の両外側から前記ベストとは離れて配置されるベルトを備え、
前記ベストと離れて配置されるベルトは、連結具によって接続されており、
前記連結具の外側の前記ベルトの端部にはリードをつなぐためのリングが固定され、
前記リード及び前記接続具が外れても、前記連結具の接続によりハーネスは外れない構造であることを特徴とするペット用ベストタイプハーネス。
【請求項２】
前記ベストに一体化されたベルトは、ペットの首部を周回させている請求項１に記載のペット用ベストタイプハーネス。
【請求項３】
前記ベストに一体化されたベルトは、ペットの首部及び胴部を周回させている請求項１に記載のペット用ベストタイプハーネス。
【請求項４】
前記接続具は面ファスナーである請求項１に記載のペット用ベストタイプハーネス。
【請求項５】
前記連結具は、バックルである請求項１に記載のペット用ベストタイプハーネス。
【発明の詳細な説明】
【技術分野】
【０００１】
本発明は、犬、猫、猿などのペット用ベストタイプハーネスに関する。
【背景技術】
【０００２】
従来からペットのハーネスとしては、首輪ベルトと胴輪ベルトを一体化したハーネスが一般的に使用されている。引用文献１の図３には、首輪ベルトと胴輪ベルトを背中部で一体化するとともに、胸の位置で首輪ベルトと胴輪ベルトを接続するベルトが提案されている。しかし、このようなハーネスは首輪も胴輪もベルトで構成されているため、ペットによっては硬くてストレスになる問題があった。
【０００３】
引用文献２の図９には、比較的幅の広い胸ベルトに首輪ベルトと胴輪ベルトを一体化し、背中部では背ベルトを用いて首輪ベルトと胴輪ベルト一体化し、車両に乗せるペットをシートベルトで固定する提案がされている。また、特許文献３には、同様に車両に乗せるペットをシートベルトで固定する目的で、脇に開閉部があるベストの胴部にベルトを巻いたハーネスが提案されている。しかし、特許文献２〜３のハーネスは、車両の安全ベルト用であり、散歩に使うには不便であった。
【特許文献１】特許第２５０６２８５号公報
【特許文献２】特開２００５−３３５５１５号公報
【特許文献３】実用新案登録第３１３２０７７号公報
【発明の開示】
【発明が解決しようとする課題】
【０００４】
本発明は、前記従来の問題を改善するため、ペットを柔らかく包み、リード（引き紐）を外しても、ハーネスの接続具が外れた場合でもハーネスが外れない構造であり、散歩に使うにも便利なペット用ベストタイプハーネスを提供する。
【課題を解決するための手段】
【０００５】
本発明のペット用ベストタイプハーネスは、ペットに装着するベストタイプのハーネスであって、ペットの少なくとも首下から胸部まで覆い、２本の前足を挿入する穴と、背中部に開閉部を接続する接続具を備えたベストと、少なくとも一部は前記ベスト内部に一体化され、前記背中部の開閉部の接続具の両外側から前記ベストとは離れて配置されるベルトを備え、前記ベストと離れて配置されるベルトは、連結具によって接続されており、前記連結具の外側の前記ベルトの端部にはリードをつなぐためのリングが固定され、前記リード及び前記接続具が外れても、前記連結具の接続によりハーネスは外れない構造であることを特徴とする。
【発明の効果】
【０００６】
本発明は、ペットの少なくとも首下から胸部まで覆い、２本の前足を挿入する穴と、背中部に開閉部を接続する接続具を備えたベストと、少なくとも一部は前記ベスト内部に一体化され、前記接続具の両外側から、前記ベストとは離れて配置されるベルトを備え、前記ベストと離れて配置されるベルトは、連結具によって接続されていることにより、ペットを柔らかく包み、リード（引き紐）を外しても、ハーネスの接続具が外れた場合でも、ハーネスが外れない構造とし、散歩に使うにも便利なペット用ベストタイプハーネスとすることができる。
【発明を実施するための最良の形態】
【０００７】
本発明において、まずベストは、ペットの少なくとも首下から胸部まで覆い、２本の前足を挿入する穴と、背中部に開閉部を接続する接続具を備えている。使用時には、ペットの前足２本を各々の穴に挿入し、背中部の接続具を接続することにより、ペットの少なくとも首下から胸部までを覆う。このベストは、首部を覆っても良いし、腹部の上部を覆ってもよい。また、２本の前足の上部を覆ってもよい。
【０００８】
ベストの生地は、織物、編み物、不織布、綿入れキルティング布、革、合成皮革、人工皮革、メッシュ生地又はこれらの組み合わせなど、いかなるものであってもよい。首部、胸部、穴の縁部には適宜装飾布を縫い合わせてもよい。
【０００９】
本発明のベストタイプハーネスには、ベルトが設けられ、このベルトの少なくとも一部はベスト内部に一体化されている。一体化は、例えば縫製により行う。ベルトは散歩の時などにリード（引き紐）をつなぐのに便利である。また、ベルトの少なくとも一部をベスト内部に入れて一体化することにより、ベルトが直接ペットの肌に接触することはなく、ペットにとって柔らかなベストとなる。
【００１０】
このベルトは、接続具の両外側から、ベストとは離れて配置され、ベストと離れて配置されるベルトは、連結具によって接続されている。このようにすることにより、リード（引き紐）を外しても、ハーネスの接続具が外れた場合でもハーネスが外れない構造となる。なお、ベルトは、編み物、織物、組み紐などの布製ベルト、又は革、合成皮革、人工皮革が好ましい。また、接続具は面ファスナー、プラスチック製バックル、ボタン、かぎフック、ファスナーなどを使用でき、好ましくは面ファスナーである。
【００１１】
ベルトは、好ましくは１本又は２本とする。ベルトが１本の場合は、ペットの首部を周回させるのが好ましい。これにより、ベストの強度を高めることができる。ベルトが２本の場合は、ペットの前足の上部ないしは肩の位置で、ベストの内部に入れて縫製などの手段により一体化する。別の手段としては、１本のベルトをペットの首部を周回させ、もう１本を胴回りに周回させても良い。
【００１２】
ベストと離れて配置されるベルトの端部には、リングを固定するのが好ましい。リングであれば、リード（引き紐）をつなぐのに便利である。
【００１３】
ベストと離れて配置されるベルトを接続する連結具は、バックルとするのが取り扱いに便利であり好ましい。バックル以外の連結具としては、面ファスナー、ボタン、かぎフック、ファスナーなどを使用できる。
【実施例】
【００１４】
以下、実施例を用いてさらに具体的に本発明を説明する。なお、本発明は下記の実施例に限定されるものではない。
【００１５】
（実施例１）
本発明の一実施例のハーネスを図面により説明する。図１は本発明の一実施例におけるハーネスを犬に装着したときの斜視図である。このベストタイプのハーネス１０は、犬の少なくとも首下から胸部まで覆うよう構成されている。ベスト１は、２本の前足を挿入する穴２ａ，２ｂと、背中部８には、開閉部を接続する面ファスナー３ａ，３ｂを備えている。ベスト１の表地と裏地は、織物を使用して縫製により作成した。ベルト４ａ，４ｂ，４ｃは、連続した１本の織物製布ベルトとし、ベルト４ｃの部分（首周りの部分）はベスト１内部に入れて縫製により一体化した。これにより、ベストの強度を高くすることができ、犬が強く引っ張ってもベストが破れるようなことはなかった。なお、補強のため、胴ベルト９をベスト１内部に入れて縫製により一体化することも好ましい。
【００１６】
ベルト４ａ，４ｂは、面ファスナー３ａ，３ｂの両外側のベルトの引き出し口（カバー）７から引き出し、バックル５を用いてベルト４ａ，４ｂを接続した。さらに、先端にはリング６ａ，６ｂを取り付け、リード（引き紐）をつなげるようにした。バックル５により、リード（引き紐）を外しても、ハーネス１０の面ファスナー３ａ，３ｂが外れた場合でも、ハーネス１０が外れない構造となった。
【００１７】
このハーネス１０を犬に装着するには、面ファスナー３ａ，３ｂとバックル５を外しておき、穴２ａ，２ｂに前足を入れ、面ファスナー３ａ，３ｂとバックル５を接続するだけで装着できる。
【００１８】
図２は、面ファスナー３ａ，３ｂを外した斜視図である。図２に示すように、面ファスナー３ａ，３ｂが外れた場合でも、バックル５は接続しているので、ハーネス１０が外れることはない。
【００１９】
図３Ａはバックル５を外した斜視図、図３Ｂはバックル５を接続した斜視図である。バックル５を使用することにより、装着も脱離も容易にできる。
【００２０】
以上のとおり、本発明の一実施例におけるベストタイプのハーネスは、ペットを柔らかく包み、リード（引き紐）を外しても、ハーネスの面ファスナーが外れた場合でも、ハーネスが外れない構造とし、散歩に使うにも便利なペット用ベストタイプハーネスとすることができた。
【００２１】
（実施例２）
図４は本発明の別の実施例におけるハーネスを犬に装着したときの斜視図である。このベストタイプのハーネス２０は、ベスト１の首周り部分の内部に入れたベルト４ｃと、ベルト４ａ，４ｂとを引き出し口（カバー）７の縫い付け部１１の位置で縫い合わせた以外は実施例１と同様である。図４においては左肩部分の縫い付け部１１を示したが、右肩部分も同様に縫い付け部がある。この実施例においては、胴ベルト９はない。
【００２２】
このベストタイプのハーネス２０も、ペットを柔らかく包み、リード（引き紐）を外しても、ハーネスの面ファスナーが外れた場合でも、ハーネスが外れない構造となり、散歩に使うにも便利なペット用ベストタイプハーネスとすることができた。
【図面の簡単な説明】
【００２３】
【図１】図１は本発明の一実施例におけるハーネスを犬に装着したときの斜視図である。
【図２】図２は同、面ファスナーを外した斜視図である。
【図３】図３Ａは同、バックルを外した斜視図、図３Ｂはバックルを接続した斜視図である。
【図４】図４は本発明の別の実施例におけるハーネスを犬に装着したときの斜視図である。
【符号の説明】
【００２４】
１  ベスト
２ａ，２ｂ  前足を挿入する穴
３ａ，３ｂ  面ファスナー
４ａ，４ｂ，４ｃ  ベルト
５  バックル
６ａ，６ｂ  リング
７  ベルトの引き出し口（カバー）
８  背中部
９  胴ベルト
１０，２０  ベストタイプハーネス
１１  縫い付け部
【図１】
0005129089.tif 000002
【図２】
0005129089.tif 000003
【図３】
0005129089.tif 000004
【図４】
0005129089.tif 000005